(57)【特許請求の範囲】
【請求項１】
複数のデッキボードを有する平面視矩形状の天板と、
前記天板に取り付けられており、前記天板から下方に延びる柱部材と、
を備え、
前記柱部材は、
前記天板の一の側面と面一である第１の側面と、
前記天板の一の側面と隣り合う他の側面と面一であり、前記第１の側面と共に稜線部を構成している第２の側面と、
を有するとともに、前記複数のデッキボードにまたがって延在しており、
前記稜線部が、前記天板との接続部に形成された切欠部を有する、パレット。
【請求項２】
前記切欠部は、前記天板側にいくに従って内側に延びる傾斜面を有する、請求項１に記載のパレット。
【請求項３】
木製パレットである、請求項１または２に記載のパレット。
【請求項４】
請求項１に記載のパレットと、
前記天板の上に載置された搬送物と、
前記パレットと前記搬送物とに巻回されており、前記切欠部に食いこんでいる部分を有するシュリンクフィルムと、
を備える、搬送物積載パレット。
【請求項５】
前記シュリンクフィルムの一方の端部が、捻られて線状部を構成しており、前記線状部が前記切欠部に食いこんでいる、請求項４に記載の搬送物積載パレット。
【請求項６】
前記シュリンクフィルムの前記線状部よりも中央側の面状部が前記切欠部に食いこんでおり、
前記線状部は、前記面状部の前記切欠部に食いこんでいる部分の上に位置している、請求項５に記載の搬送物積載パレット。
【請求項７】
前記シュリンクフィルムの他方の端部が捻られて他の線状部を構成しており、前記他の線状部が前記パレットに巻き付けられている、請求項４〜６のいずれか一項に記載の搬送物積載パレット。
【請求項８】
前記線状部の端部が、前記シュリンクフィルムの他の部分に熱融着されている、請求項６または７に記載の搬送物積載パレット。
【請求項９】
前記搬送物は、高さ方向に沿って延び、面方向に沿って配列された複数の柱状体を含む、請求項４〜８のいずれか一項に記載の搬送物積載パレット。
【発明の詳細な説明】
【技術分野】
【０００１】
本発明は、パレットに関する。
【背景技術】
【０００２】
従来、搬送物を搬送する際に、パレットを用いることが知られている。パレットには、樹脂製のパレットと、木製のパレットとが知られている。特許文献１には、木製パレットの一例が記載されている。
【先行技術文献】
【特許文献】
【０００３】
【特許文献１】特開２００４−９９１７９号公報
【発明の概要】
【発明が解決しようとする課題】
【０００４】
ところで、搬送物をパレットに対して強固に固定するために、シュリンクフィルムを搬送物及びパレットに巻回することがある。しかしながら、搬送物に大きな力や振動等が加わった場合に、シュリンクフィルムがパレットから外れ、搬送物が脱落する虞がある。
【０００５】
本発明の主な目的は、搬送物及びパレットにシュリンクフィルムを巻回することで搬送物をパレットに固定した際に、シュリンクフィルムがパレットから外れにくいパレットを提供することにある。
【課題を解決するための手段】
【０００６】
本発明に係るパレットは、天板と、柱部材とを備える。天板は、少なくとも一つのデッキボードを有する。天板は、平面視矩形状である。柱部材は、天板に取り付けられている。柱部材は、天板から下方に延びる。柱部材は、第１の側面と、第２の側面とを有する。第１の側面は、天板の一の側面と面一である。第２の側面は、天板の一の側面と隣り合う他の側面と面一である。第２の側面は、第１の側面と共に稜線部を構成している。稜線部が、天板との接続部に形成された切欠部を有する。このため、搬送物及びパレットに巻回したシュリンクフィルムを切欠部に食いこませることにより、シュリンクフィルムとパレットとを強固に固定することができる。従って、本発明に係るパレットからは、シュリンクフィルムが外れにくい。
【０００７】
本発明に係るパレットでは、切欠部が、天板側にいくに従って内側に延びる傾斜面を有することが好ましい。この場合、搬送物に振動や揺動が加わった場合に、シュリンクフィルムが切欠部の幅狭の深部にまで食いこんでいく。従って、シュリンクフィルムがパレットから外れることをより効果的に抑制することができる。
【０００８】
本発明に係るパレットは、木製であることが好ましい。パレットが木製である場合、パレットの表面に木目由来の凹凸が存在する。この凹凸により、シュリンクフィルムとパレットとの間にアンカー効果が発現する。従って、シュリンクフィルムがパレットから外れることをさらに効果的に抑制することができる。また、木製のパレットは、例えば、樹脂製のパレットよりも安価である。
【０００９】
本発明に係る搬送物積載パレットは、本発明に係るパレットと、搬送物と、シュリンクフィルムとを備える。搬送物は、天板の上に載置されている。シュリンクフィルムは、パレットと搬送物とに巻回されている。シュリンクフィルムは、切欠部に食いこんでいる。このため、シュリンクフィルムとパレットとが強固に固定されている。従って、シュリンクフィルムがパレットから外れにくく、搬送物がパレットから脱落しにくい。
【００１０】
本発明に係る搬送物積載パレットでは、シュリンクフィルムの一方の端部が、捻られて線状部を構成しており、線状部が切欠部に食いこんでいることが好ましい。切欠部に食いこむ部分を線状部とすることにより、シュリンクフィルムのうち、切欠部に食いこむ部分の強度を高めることができる。よって、シュリンクフィルムがパレットから外れることをさらに効果的に抑制することができる。
【００１１】
本発明に係る搬送物積載パレットでは、シュリンクフィルムの線状部よりも中央側の面状部が切欠部に食いこんでおり、線状部が、面状部の切欠部に食いこんでいる部分の上に位置していることが好ましい。この場合、シュリンクフィルムとパレットとがより強固に固定される。
【００１２】
本発明に係る搬送物積載パレットでは、シュリンクフィルムの他方の端部が捻られて他の線状部を構成しており、他の線状部が前記パレットに巻き付けられていることが好ましい。この場合、パレットとシュリンクフィルムとをより強固に固定することができる。従って、搬送物のパレットからの脱落を効果的に抑制することができる。
【００１３】
本発明に係る搬送物積載パレットでは、線状部の端部が、シュリンクフィルムの他の部分に熱融着されていることが好ましい。この場合、線状部の端部が他の部分と一体化するため、線状部の端部をより強固に固定することができる。
【００１４】
本発明に係る搬送物積載パレットでは、搬送物が、高さ方向に沿って延び、面方向に沿って配列された複数の柱状体を含むことが好ましい。この場合、搬送物がパレットから脱落しやすいため、本発明が特に好ましく適用される。
【発明の効果】
【００１５】
本発明によれば、搬送物及びパレットにシュリンクフィルムを巻回することで搬送物をパレットに固定した際に、シュリンクフィルムがパレットから外れにくいパレットを提供することができる。
【図面の簡単な説明】
【００１６】
【図１】第１の実施形態に係るパレットの模式的斜視図である。
【図２】第１の実施形態に係るパレットの模式的正面図である。
【図３】第１の実施形態に係るパレットの模式的背面図である。
【図４】第１の実施形態における搬送物積載パレットの模式的斜視図である。
【図５】第１の実施形態における搬送物積載パレットの模式的平面図である。
【図６】図４のＶＩ部分の模式的斜視図である。
【図７】第２の実施形態に係るパレットの一部分を拡大した模式的斜視図である。
【発明を実施するための形態】
【００１７】
以下、本発明を実施した好ましい形態の一例について説明する。但し、下記の実施形態は、単なる例示である。本発明は、下記の実施形態に何ら限定されない。
【００１８】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１９】
（第１の実施形態）
（パレット）
図１は、第１の実施形態に係るパレットの模式的斜視図である。図２は、第１の実施形態に係るパレットの模式的正面図である。図３は、第１の実施形態に係るパレットの模式的背面図である。図１〜図３に示すパレット１は、木製パレットである。但し、本発明はこれに限定されない。本発明に係るパレットは、樹脂製パレットであってもよい。
【００２０】
パレット１は、天板１０を備える。天板１０は、平面視矩形状である。天板１０は、少なくとも一つのデッキボード１１を有する。本実施形態では、天板１０は複数のデッキボード１１を有する。複数のデッキボード１１は、それぞれ、細長い矩形平板状である。複数のデッキボード１１は、それぞれ、ｘ軸方向に沿って延びている。複数のデッキボード１１は、ｘ軸方向に対して垂直なｙ軸方向に沿って相互に間隔をおいて配列されている。但し、本発明は、この構成に限定されない。本発明において、天板は、１枚のデッキボードにより構成されていてもよい。尚、以下の説明において、複数のデッキボード１１のうち、ｙ軸方向における最も外側ｙ１に位置しているデッキボード１１をエッジボード１１Ａとする。複数のデッキボード１１のうち、ｙ軸方向における最も外側ｙ２に位置しているデッキボード１１をエッジボード１１Ｂとする。
【００２１】
天板１０は、第１の側面１０ａと、第２の側面１０ｂと、第３の側面１０ｃと、第４の側面１０ｄとを有する。第１の側面１０ａは、複数のデッキボード１１のｘ１側の端面により構成されている。第２の側面１０ｂは、エッジボード１１Ａの長辺側の端面により構成されている。第３の側面１０ｃは、複数のデッキボード１１のｘ２側の端面により構成されている。第４の側面１０ｄは、エッジボード１１Ｂの長辺側の端面により構成されている。
【００２２】
天板１０には、柱部材（けた）１２が取り付けられている。具体的には、本実施形態では、天板１０の裏面に、第１の柱部材１２Ａと、第２の柱部材１２Ｂと、第３の柱部材１２Ｃとが取り付けられている。第１〜第３の柱部材１２Ａ、１２Ｂ、１２Ｃは、それぞれ、天板１０から下方に延びている。尚、本実施形態では、第１〜第３の柱部材１２Ａ、１２Ｂ、１２Ｃの下面が設置面とされている。但し、本発明は、この構成に限定されない。第１〜第３の柱部材１２Ａ、１２Ｂ、１２Ｃの下面に複数のデッキボードが取り付けられていてもよい。
【００２３】
第１〜第３の柱部材１２Ａ、１２Ｂ、１２Ｃは、それぞれ、細長い角柱状である。第１〜第３の柱部材１２Ａ、１２Ｂ、１２Ｃは、それぞれ、ｙ軸方向に沿って延びる。第１〜第３の柱部材１２Ａ、１２Ｂ、１２Ｃは、ｘ軸方向において間隔をおいて配列されている。
【００２４】
第１の柱部材１２Ａは、天板１０のｘ１側の端部に取り付けられている。具体的には、第１の柱部材１２Ａは、第１の柱部材１２Ａのｘ１側の側面１２ａと、天板１０の第１の側面１０ａとが面一になるように取り付けられている。第１の柱部材１２Ａのｙ１側の側面１２ｂは、天板１０の第２の側面１０ｂと面一である。第１の柱部材１２Ａのｙ２側の側面１２ｃは、天板１０の第４の側面１０ｄと面一である。
【００２５】
図１に示すように、側面１２ａと、側面１２ａに隣り合う側面１２ｂとは稜線部１２ｇを構成している。側面１２ａと、側面１２ａに隣り合う側面１２ｃとは稜線部１２ｈを構成している。
【００２６】
第２の柱部材１２Ｂは、天板１０のｘ軸方向の中央部に取り付けられている。第２の柱部材１２Ｂのｙ１側の側面は、第２の側面１０ｂと面一である。第２の柱部材１２Ｂのｙ２側の側面は、第４の側面１０ｄと面一である。
【００２７】
第３の柱部材１２Ｃは、天板のｘ２側端部に取り付けられている。具体的には、第３の柱部材１２Ｃは、第３の柱部材１２Ｃのｘ２側の側面１２ｄと、天板１０の第３の側面１０ｃとが面一になるように取り付けられている。第３の柱部材１２Ｃのｙ１側の側面１２ｅは、天板１０の第２の側面１０ｂと面一である。第３の柱部材１２Ｃのｙ２側の側面１２ｆ（図３を参照。）は、天板１０の第４の側面１０ｄと面一である。
【００２８】
図１に示すように、側面１２ｄと、側面１２ｄに隣り合う側面１２ｅとは稜線部１２ｉを構成している。側面１２ｄと、側面１２ｄに隣り合う側面１２ｆとは稜線部１２ｊを構成している。
【００２９】
稜線部１２ｇは、切欠部１３ａを有する。切欠部１３ａは、稜線部１２ｇの天板１０との接続部に形成されている。稜線部１２ｈは、切欠部１３ｂを有する。切欠部１３ｂは、稜線部１２ｈの天板１０との接続部に形成されている。稜線部１２ｉは、切欠部１３ｃを有する。切欠部１３ｃは、稜線部１２ｉの天板１０との接続部に形成されている。稜線部１２ｊは、切欠部１３ｄを有する。切欠部１３ｄは、稜線部１２ｊの天板１０との接続部に形成されている。
【００３０】
各切欠部１３ａ、１３ｂ、１３ｃ、１３ｄは、天板１０側にいくに従って、内側に延びる傾斜面を有する。本実施形態では、傾斜面は平面状である。但し、本発明は、この構成に限定されない。傾斜面は、曲面であってもよい。具体的には、傾斜面は、凸面であってもよいし、凹面であってもよい。
【００３１】
（搬送物積載パレット）
図４は、第１の実施形態における搬送物積載パレットの模式的斜視図である。図５は、第１の実施形態における搬送物積載パレットの模式的平面図である。図６は、図４のＶＩ部分の模式的斜視図である。
【００３２】
図４に示すように、搬送物積載パレット２は、パレット１を備える。パレット１の上には、搬送物２０が載置されている。搬送物２０は、特に限定されない。搬送物２０は、一体であってもよいし、複数の搬送物の集合体であってもよい。本実施形態では、搬送物２０は、複数の柱状体２１の集合体である。複数の柱状体２１は、それぞれ、高さ方向に沿って延びている。複数の柱状体２１は、面方向に沿ってマトリクス状に配列されている。尚、本発明において、柱状体は、長さ方向に貫通する貫通孔を有していてもよい。
【００３３】
搬送物２０の高さは、パレット１の高さよりも高い。搬送物２０は、パレット１よりも重い。搬送物２０の比重は、パレット１の比重よりも高い。搬送物２０のアスペクト比は、１よりも大きい。
【００３４】
パレット１と、搬送物２０とには、シュリンクフィルム２２に巻回されている。シュリンクフィルム２２は、少なくとも一つの切欠部１３ａ、１３ｂ、１３ｃ、１３ｄに食いこんでいる。このため、シュリンクフィルム２２と、パレット１とが強固に固定されている。よって、シュリンクフィルム２２がパレット１から外れにくい。従って、シュリンクフィルム２２によって固定された搬送物２０がパレット１から脱落することが効果的に抑制されている。
【００３５】
本実施形態では、具体的には、シュリンクフィルム２２の面状の基端部が、捻られて線状部を構成している。その基端部の線状部が、まず、パレット１に巻回された後に、シュリンクフィルム２２が搬送物２０に面接触するように複数回巻回され、その後、シュリンクフィルム２２が、搬送物２０及びパレット１の両方に跨がるように、さらに複数回巻回されている。このため、シュリンクフィルム２２の面状部が少なくとも一つの切欠部１３ａ、１３ｂ、１３ｃ、１３ｄに食いこんでいる。シュリンクフィルム２２の、搬送物２０及びパレット１の両方に跨がるように巻回された部分よりも先端側の部分は、捻られて線状部２２ａを構成している。図４に示すように、線状部２２ａは、搬送物２０の外周面上において複数回巻回された後に、少なくとも一つの切欠部１３ａ、１３ｂ、１３ｃ、１３ｄに食いこむように巻き付けられている。線状部２２ａの、切欠部１３ａ、１３ｂ、１３ｃ、１３ｄに食いこむように巻き付けられている部分は、切欠部１３ａ、１３ｂ、１３ｃ、１３ｄに食いこんでいるシュリンクフィルム２２の面状部の上に位置している。線状部２２ａの先端部は、シュリンクフィルム２２の他の部分に熱融着されている。線状部２２ａの先端部は、線状部２２ａの他の部分に熱融着されていることが好ましい。この場合、線状部２２ａの先端部が熱融着される部分の強度が高いため、線状部２２ａの先端部をより強固に固定することができる。
【００３６】
詳細には、本実施形態では、線状部２２ａは、搬送物２０の外周面上において複数回巻回された後に、少なくとも一つの切欠部１３ａ、１３ｂ、１３ｃ、１３ｄに食いこむように巻き付けられた後に、搬送物２０の外周面上においてさらに複数回巻回された後に、少なくとも一つの切欠部１３ａ、１３ｂ、１３ｃ、１３ｄに食いこむように巻き付けられている。このため、搬送物２０がより強固に固定されている。
【００３７】
このように、本実施形態では、線状部２２ａが、少なくとも一つの切欠部１３ａ、１３ｂ、１３ｃ、１３ｄに食いこんでいる。従って、シュリンクフィルム２２とパレット１とがより強固に固定されている。さらに本実施形態では、シュリンクフィルム２２の面状部が切欠部１３ａ、１３ｂ、１３ｃ、１３ｄに食いこんでおり、さらに、その上に、線状部２２ａが切欠部１３ａ、１３ｂ、１３ｃ、１３ｄに食いこむように巻回されている。従って、シュリンクフィルム２２とパレット１とがさらに強固に固定されている。また、本実施形態では、シュリンクフィルム２２の面状の基端部が、捻られて線状部を構成している。その基端部の線状部が、まず、パレット１に巻回されている。このため、パレット１とシュリンクフィルム２２とをより強固に固定することができる。但し、本発明は、この構成に限定されない。例えば、基端部が、面状であってもよい。例えば、捻られて線状にされた基端部が、パレットに引っかけられていてもよい。例えば、捻られて線状にされた基端部が、１周未満、パレットに巻き付けられていてもよい。
【００３８】
例えば、シュリンクフィルムの面状部のみを切欠部に食いこませることも考えられる。それに対して、本実施形態のように、切欠部１３ａ、１３ｂ、１３ｃ、１３ｄに食いこむ部分を線状部２２ａとすることにより、シュリンクフィルム２２のうち、切欠部１３ａ、１３ｂ、１３ｃ、１３ｄに食いこむ部分の強度を高めることができる。よって、シュリンクフィルム２２がパレット１から外れることをさらに効果的に抑制することができる。
【００３９】
本実施形態では、切欠部１３ａ、１３ｂ、１３ｃ、１３ｄが、天板１０側にいくに従って内側に延びる傾斜面を有する。このため、搬送物２０が振動したり、揺動したりすることにより、線状部２２ａに引張応力が加わると、線状部２２ａが、切欠部１３ａ、１３ｂ、１３ｃ、１３ｄの幅狭の深部にまで食いこむ。従って、線状部２２ａが、切欠部１３ａ、１３ｂ、１３ｃ、１３ｄから抜けにくくなる。その結果、シュリンクフィルム２２とパレット１とがさらに強固に固定されている。
【００４０】
一方、シュリンクフィルム２２の基端部は面状であり、搬送物２０に面接触している。このため、シュリンクフィルム２２と、搬送物２０との間の摩擦力を高めることができる。従って、搬送物２０とシュリンクフィルム２２との密着強度を高めることができる。その結果、搬送物２０が、パレット１から脱落することをより効果的に抑制することができる。
【００４１】
尚、本実施形態の技術は、搬送物２０がパレット１から脱落しやすい場合に好適である。具体的には、本実施形態のように、搬送物２０が、高さ方向に沿って延び、面方向に沿って配列された複数の柱状体２１を含む場合に、本実施形態の技術が好適である。また、例えば、搬送物２０の高さが、パレット１の高さよりも高い場合、搬送物２０が、パレット１よりも重い場合、搬送物２０の比重が、パレット１の比重よりも高い場合、搬送物２０のアスペクト比が、１よりも大きい場合等にも、本実施形態の技術が好適である。
【００４２】
尚、本実施形態では、図４に示すように、搬送物２０と、シュリンクフィルム２２とをより強固に固定する観点から、シュリンクフィルム２２が、搬送物２０の上面の少なくとも一部まで至るように巻回されている。但し、本発明は、この構成に限定されない。本発明では、例えば、シュリンクフィルムは、搬送物の外表面のうち、外周面の少なくとも一部のみを覆うように巻回されていてもよい。
【００４３】
以下、本発明の好ましい実施形態の他の例について説明する。以下の説明において、上記第１の実施形態と実質的に共通の機能を有する部材を共通の符号で参照し、説明を省略する。
【００４４】
（第２の実施形態）
図７は、第２の実施形態に係るパレットの一部分を拡大した模式的斜視図である。第１の実施形態では、切欠部１３ａ、１３ｂ、１３ｃ、１３ｄが傾斜面を有する場合について説明したが、本発明はこの構成に限定されない。例えば、図７に示すように、切欠部１３ａ、１３ｂ、１３ｃ、１３ｄが、高さ方向と平行な平面部１３ａ１を有していてもよい。この場合であっても、切欠部１３ａ、１３ｂ、１３ｃ、１３ｄに、シュリンクフィルム２２が食いこむことにより、シュリンクフィルム２２とパレット１とが、強固に固定される。
【符号の説明】
【００４５】
１  パレット
２  搬送物積載パレット
１０  天板
１０ａ  第１の側面
１０ｂ  第２の側面
１０ｃ  第３の側面
１０ｄ  第４の側面
１１  デッキボード
１１Ａ，１１Ｂ  エッジボード
１２  柱部材
１２Ａ  第１の柱部材
１２Ｂ  第２の柱部材
１２Ｃ  第３の柱部材
１２ａ，１２ｂ，１２ｃ，１２ｄ，１２ｅ，１２ｆ  側面
１２ｇ，１２ｈ，１２ｉ，１２ｊ  稜線部
１３ａ，１３ｂ，１３ｃ，１３ｄ  切欠部
１３ａ１  平面部
２０  搬送物
２１  柱状体
２２  シュリンクフィルム
２２ａ  線状部
【図１】
0006580351.tif 000002
【図２】
0006580351.tif 000003
【図３】
0006580351.tif 000004
【図４】
0006580351.tif 000005
【図５】
0006580351.tif 000006
【図６】
0006580351.tif 000007
【図７】
0006580351.tif 000008